(57)【特許請求の範囲】
【請求項１】
自動二輪車（１）であって、
前部（２）、尾部（４）、および前記前部（２）と前記尾部（４）との間の中央部（３）とを有する自動二輪車本体（２、３、４）と、
前輪（５）および後輪（６）を備える、前記自動二輪車本体（２、３、４）に拘束された少なくとも二つの車輪（５、６）と、
前記自動二輪車本体（２、３、４）に拘束され、前記車輪（５、６）の少なくとも一つに動作可能なように接続された駆動エンジン（７）と、
制動システム（１０１）と、
前記前部（２）に固定された少なくとも一つの前部前照灯（１２）、および前記尾部（４）に固定された少なくとも一つの後部尾灯（１４）と、
前記尾部（４）に固定された制動灯（１５）と、
前記制動灯（１５）に動作可能なように接続され、前記制動システム（１０１）の作動に応じて前記制動灯（１５）を点けるように調整され、構成された前記制動灯（１５）の電子制御ユニット（１００）と、
前記駆動エンジン（７）のスタート−ストップシステム（１０７）と、を備え、
前記電子制御ユニット（１００）は、前記自動二輪車（１）の速度が第１の閾値速度以下であるかどうかを検出し、その場合、前記制動灯（１５）を断続的に点灯するように調整され、構成され、
前記電子制御ユニット（１００）は、前記スタート−ストップシステム（１０７）が作動状態または非作動状態のどちらであるか検出し、
前記電子制御ユニット（１００）は、前記自動二輪車（１）の前記速度が前記第１の閾値速度以下である場合、かつ前記スタート−ストップシステム（１０７）が前記作動状態である場合、前記制動灯（１５）を断続的に点灯し、
前記電子制御ユニット（１００）は、前記制動灯（１５）の前記断続的な点灯後、前記自動二輪車（１）の速度が第２の閾値速度より高いと検出した場合、前記断続的な点灯を停止する、
自動二輪車（１）。
【請求項２】
前記第１の閾値速度は、３ｋｍ／ｈである、請求項１に記載の自動二輪車（１）。
【請求項３】
前記第１の閾値速度は、０ｋｍ／ｈである、請求項１に記載の自動二輪車（１）。
【請求項４】
前記断続的な点灯は、消灯時間と異なる点灯時間を備えるデューティサイクルを有する、請求項１から請求項３のいずれか一項に記載の自動二輪車（１）。
【請求項５】
前記点灯時間は、前記消灯時間の倍または半分である、請求項４に記載の自動二輪車（１）。
【請求項６】
前記点灯時間は、１秒であり、前記消灯時間は、０．５秒である、請求項５に記載の自動二輪車（１）。
【請求項７】
前記第２の閾値速度は、前記第１の閾値速度より高い、請求項１に記載の自動二輪車（１）。
【請求項８】
前記第２の閾値速度は、５ｋｍ／ｈである、請求項７に記載の自動二輪車（１）。
【請求項９】
前記電子制御ユニット（１００）は、前記エンジン（７）がオン状態またはオフ状態のどちらであるか検出し、前記電子制御ユニット（１００）は、前記自動二輪車（１）の前記速度が前記第１の閾値速度以下である場合、かつ前記エンジン（７）がオン状態である場合、前記制動灯（１５）を断続的に点灯する、請求項１に記載の自動二輪車（１）。
【請求項１０】
前記電子制御ユニット（１００）は、前記制動システム（１０１）の作動および解除に関係なく、前記制動灯（１５）を断続的に点灯する、請求項１から請求項９のいずれか一項に記載の自動二輪車（１）。
【請求項１１】
自動二輪車（１）の制動灯（１５）を電子的に制御するための方法であって、前記自動二輪車（１）は、
前部（２）、尾部（４）、および前記前部（２）と前記尾部（４）との間の中央部（３）とを有する自動二輪車本体（２、３、４）と、
前輪（５）および後輪（６）を備える、前記自動二輪車本体（２、３、４）に拘束された少なくとも二つの車輪（５、６）と、
前記自動二輪車本体（２、３、４）に拘束され、前記車輪（５、６）の少なくとも一つに動作可能なように接続された駆動エンジン（７）と、
制動システム（１０１）と、
前記前部（２）に固定された少なくとも一つの前部前照灯（１２）、および前記尾部（４）に固定された少なくとも一つの後部尾灯（１４）と、
前記尾部（４）に固定された制動灯（１５）と、
前記駆動エンジン（７）のスタート−ストップシステム（１０７）と、を備え、
前記制御方法は、
前記スタート−ストップシステム（１０７）が作動状態または非作動状態のどちらであるか検出するステップと、
前記自動二輪車（１）の速度を第１の閾値速度と比較するステップと、
前記自動二輪車（１）の前記速度が前記第１の閾値速度以下である場合、かつ前記スタート−ストップシステム（１０１）が前記作動状態である場合、前記制動灯（１５）を断続的に点灯するステップと、
点灯する前記ステップの後、前記自動二輪車の前記速度が第２閾値より高いことを検出すると、前記断続的な点灯を停止するステップと、を含む、
自動二輪車（１）の制動灯（１５）を電子的に制御するための方法。
【請求項１２】
前記制動システム（１０１）の作動に応じて前記制動灯（１５）を点けるステップと、前記制動システム（１０１）の解除に応じて前記制動灯（１５）を消すステップと、をさらに含む、請求項１１に記載の制御方法。
【請求項１３】
前記自動二輪車（１）の前記速度が前記第１の閾値速度以下である場合に前記制動灯（１５）を断続的に点灯する前記ステップは、前記制動システム（１０１）の作動および解除に関係なく生じる、請求項１１または請求項１２に記載の制御方法。
【発明の詳細な説明】
【技術分野】
【０００１】
本明細書は、自動車の技術分野に関し、特に制御可能な制動灯を備える自動二輪車、および制動灯を電子的に制御するための方法に関する。本発明はまた一般的に、陸上車両の分野にも適用される。
【背景技術】
【０００２】
自動二輪車の安全な使用を可能とする灯火システムは、長い間、自動二輪車に取り付けられてきた。自動二輪車は、前部前照灯、後部尾灯、方向指示器、少なくとも一つの制動灯などを実際に設けられている。前部前照灯は、自動二輪車の正面の地面の領域を明るくし、かつ自動二輪車が自動二輪車の正面にいる人々を視認させる。後部尾灯は、自動二輪車の後方の人々に自動二輪車を視認させ、自動二輪車の制動機構の作動を知らせる。制動灯は、隣接した車両との衝突を防ぐために、またはできる限りそのような衝突の危険性を減らすために、後方の車両に制動中であることを知らせるために使用される。特に、制動灯は、運転手がブレーキレバーおよび／またはブレーキペダルを作動させたとき自動的に作動される。
【発明の概要】
【０００３】
自動二輪車は、例えば四輪自動車のようなその他の車両よりも、後方の車両による衝突のおそれがある傾向があり、後部尾灯は、場合によっては車道上に一時的に停止された自動二輪車の存在感若しくは距離を明確には定義されていないため、または後部尾灯の冗長性が義務づけられていないため、自動二輪車の存在は、例えば電球の破損または溶断に起因する不良が発生した場合、暗闇で分からない可能性がある。
【０００４】
本明細書の概略的な目的は、先行技術の問題を克服する、または少なくとも部分的に減らすことができる制御可能な制動灯を有する車両を提供することである。
【０００５】
本目的およびその他の目的は、最も一般的な形態で請求項１にて定められるような、およびいくつかの特定の実施形態で従属請求項にて定められるような自動二輪車を用いて得られる。
【図面の簡単な説明】
【０００６】
本発明は、添付図面を参照して、非限定的な例のために作られた、下記の実施形態の詳細な説明を通じてより理解される。
【０００７】
【図１】図１は、自動二輪車の非限定的な実施形態の側面図を示す。
【図２】図２は、図１での自動二輪車の平面図を示す。
【図３】図３は、実施例のために与えられた図１での自動二輪車の電子制御システムの実施形態の機能ブロック図を示す。
【０００８】
添付図面での類似または同等の要素は、同じ符号を用いて示されている。
【発明を実施するための形態】
【０００９】
自動二輪車１の実施形態が添付図面に示されており、特定の実施例では、何らかの限定を取り入れるものではないが、前輪５および後輪６を有する二輪自動車、および特に二輪スクータ、からなる。
【００１０】
以下、本明細書にて、一般的な自動二輪車１を参照するが、以下の記載は、
自動二輪車本体２、３、４と、
自動二輪車本体２、３、４に拘束された少なくとも二つの車輪５、６と、
自動二輪車本体２、３、４に拘束され、且つ車輪５、６の少なくとも一つに動作可能なように接続された、例えば熱または電気またはハイブリッドエンジンの、駆動エンジン７と、
を備えるカテゴリＬの自動二輪車１の任意の種類に一般的に適用できることを意味する。
【００１１】
例えば、前述の自動二輪車１は、例えばスクータ若しくはモータバイクのような二輪自動車、少なくとも二つの前輪がかじを取り、傾ける三輪自動車、または２対の傾斜可能な車輪を備え、その少なくとも二つがかじを取る四輪自動車である。
【００１２】
自動二輪車本体２、３、４は、長手方向軸Ｌ−Ｌに沿って広がり、長手方向軸Ｌ−Ｌは、自動二輪車１の走行軸に並行である。自動二輪車本体２、３、４は、前部２、尾部４、および前部２と尾部４との間の中央部３を有する。中央部３は、自動二輪車１の部分であり、自動二輪車１の通常の使用および運転状態で自動二輪車１にまたがるように、および／または自動二輪車１上に座るように配置された、自動二輪車１の部分の上に運転手の体がある。実施例では、中央部は、台３５、下側サドル支持３６、サドルの前方部３７を備える。実施例では、前部２は、フロントシールド２１、ステアリングハンドルバー２２、前輪５、前輪の制動装置５１、前部泥よけ２３を備える。実施例では、後部４は、サドルの後方部４７、荷物棚４５、一つまたは二つの後方サスペンション４１、後輪６、後輪の制動装置６１、駆動エンジン７を備える。
【００１３】
自動二輪車１は、前部２に固定された少なくとも一つの前部前照灯１２、および尾部４に固定され、前部前照灯１２について反対方向に向けられた少なくとも一つの後部尾灯１４を備える。ステアリングハンドルバー２２が回転されていない状況では、すなわち、前輪５と後輪６が長手方向軸Ｌ−Ｌに沿って整列されている状態では、前照灯１２は、長手方向軸Ｌ−Ｌに沿って主に中央に合わされて、且つ自動二輪車１に関して正面に位置されている地面の一部へ向けられて、光ビームを放つようなものである。後部尾灯１４は、無指向性の光学的放射を放つようなものであり、自動二輪車１の後ろに続く車両に起こりうる幻惑を避けるために、一般的に後部尾灯自体の高さに集中される。
【００１４】
自動二輪車１は、制動システム１０１、制動灯１５および制動灯１５の電子制御ユニット１００をさらに備え、電子制御ユニット１は、制動灯１５に動作可能なように接続され、制動システム１０１が作動されたときに制動灯１５を点け、制動システム１０１が解除されたときに制動灯１５を消すように調整される。制動システム１０１の前述の作動は、自動的であってもよく、またはブレーキレバー１０および／若しくはブレーキペダルへ運転手によって力を加えられた結果として発生してもよい。図に示されている特定の実施例では、自動二輪車１は、スクータであり、ステアリングハンドルバー２２に拘束された二つのブレーキレバー１０を備えており、ブレーキレバー１０の一方は、前輪の制動装置５１に関連付けられ、もう一方は、後輪の制動装置６１に関連付けられている。変形実施形態にて、自動二輪車１は、ブレーキレバー１０の一つの代わりにクラッチの作動レバーを有する自動二輪車であってもよく、この場合、自動二輪車１は、ブレーキペダルを設けられる。
【００１５】
例えば、電子制御ユニット１００は、制動灯１５も同様に、自動二輪車１のバッテリ１１０から電力を供給される。
【００１６】
好ましいが限定するものではない実施形態によると、電子制御ユニット１００は、自動二輪車１のＥＣＵ（エンジンコントロールユニット）であり、自動二輪車１の駆動エンジン７を同様に制御するようなものである。図３の実施例では、電子制御ユニット１００はまた、例えば、前部前照灯１２および後部尾灯１４のような、自動二輪車１のその他の装置を制御するようなものである。
【００１７】
制動灯１５は、例えば、後部尾灯１４のランプとは異なる、ＬＥＤまたは白熱灯を備える。代替的な実施形態において、制動灯１５は、電球または尾灯１４と一体化され、尾灯１４は、例えば、制動灯として機能することを意図されている専用のフィラメントを備える。
【００１８】
制動灯１５および尾灯１４は、例えば、後方ライトクラスタと称される、自動二輪車本体２、３、４の尾部４に固定された同一のライトクラスタに一体化される。
【００１９】
電子制御ユニット１００は、自動二輪車１の速度が第１の閾値速度以下であるかどうかを検出するように調整され、構成され、そのような場合、制動灯１５を断続的に点ける。好適な実施形態によると、電子制御ユニット１００は、断続的かつ制動システム１０１の作動および解除に関係なく制動灯１５を点けるようなものである。
【００２０】
好ましい実施形態によると、第１の閾値速度は、３ｋｍ／ｈであり、より好ましくは０ｋｍ／ｈである。
【００２１】
実施形態によると、図３に関して、電子制御ユニット１００は、例えば、自動二輪車１に搭載された、または作動可能に接続された速度センサ１０２から、自動二輪車１の速度と相関がある情報を伝える電気信号を受けるようなものである。
【００２２】
好適な実施形態によると、前述の断続的な点灯は、消灯時間と異なる点灯時間を備えるデューティサイクルを有する。好ましくは、点灯時間は、消灯時間の倍または半分のいずれかである。例えば、点灯時間は、１秒であり、消灯時間は０．５秒である。
【００２３】
好適な実施形態によると、制動灯１５の前述の断続的な点灯の後、電子制御ユニット１００は、自動二輪車１の速度が第２の閾値速度よりも高いことを検出した場合、そのような検出後すぐに、または所定の、例えば２秒の、監視間隔が経過した後、前述の断続的な点灯を停止させるようなものである。好ましくは、第２の閾値速度は、第１の閾値速度より高く、例えば、非限定的な実施形態によると、第２の閾値速度は、５ｋｍ／ｈである。しかしながら、第１の閾値速度または第２の閾値速度はまた、同等であってもよい。
【００２４】
想定される実施形態によると、自動二輪車１がスタート−ストップシステムを設けられていない場合、電子制御ユニット１００は、駆動エンジン７がオン状態またはオフ状態のどちらであるか、検出するようなものであり、電子制御ユニット１００は、自動二輪車１の速度が第１の閾値速度以下である場合、かつ駆動エンジン７がオン状態である場合、制動灯１５を断続的に点けるようなものである。
【００２５】
上述されたものの代替の実施形態によると、自動二輪車１が駆動エンジン７のスタート−ストップシステム１０７を備える場合、電子制御ユニット１００は、スタート−ストップシステム１０７が作動状態または非作動状態のどちらであるか検出するようなものである。スタート−ストップシステム１０７が作動状態である場合、自動二輪車１は、停止される。スタート−ストップシステム１０７は、オートマチックトランスミッションを備える自動二輪車１の場合、ブレーキレバーが解放されたとき、また、マニュアルトランスミッションを備える自動二輪車１の場合、クラッチレバーが押されたとき、解除される。
【００２６】
電子制御ユニット１００は、自動二輪車１の速度が第１の閾値速度以下である場合、かつスタート−ストップシステム１０７が作動状態である場合、制動灯１５を断続的に点けるようなものである。
【００２７】
上述された実施形態の全てにおいて、上記されたような制動灯１５の前述の断続的な点灯は、制動システム１０１の作動および解除から独立している。したがって、好適には、自動二輪車１が停止した、またはほぼ停止しているとき、自動二輪車１の運転手は、制動灯１５の断続的な点灯を決める、制動システム１０１が作動された状態を維持しないだろう。
【００２８】
自動二輪車１のための前述の記載がまた、自動二輪車１の制動灯１５を電子的に制御するための方法の記載に対応することは、注目すべき点であり、自動二輪車１は、
前部２、尾部４、および前部２と尾部４との間の中央部３を有する自動二輪車本体２、３、４と、
前輪５および後輪６を備える、自動二輪車本体２、３、４に拘束された少なくとも二つの車輪５、６と、
自動二輪車本体２、３、４に拘束され、且つ車輪５、６の少なくとも一つに動作可能なように接続された駆動エンジン７と、
制動システム１０１と、
前部２に固定された少なくとも一つの前部前照灯１２、および尾部４に固定された少なくとも一つの後部尾灯１４と、
尾部４に固定された制動灯１５と、
を備える。
【００２９】
制動灯１５の制御方法は、
自動二輪車１の速度を第１の閾値速度と比較するステップと、
自動二輪車１の速度が第１の閾値速度以下である場合、制動灯１５を断続的に点けるステップと、を含む。
【００３０】
好ましくは、前述の電子制御方法はさらに、制動システム１０７の作動に応じて制動灯１５を点けるステップと、制動システム１０７の解除に応じて制動灯１５を消すステップと、を含む。好ましくは、上記されたような前述の制動灯１５の断続的な点灯は、制動システム１０１の作動および解除から独立している。
【００３１】
好適な実施形態によると、前述の電子制御方法はさらに、自動二輪車１の速度が第２の閾値速度よりも高いと検出された場合、前述の断続的な点灯を停止させるステップを含む。
【００３２】
前述の制御方法のさらなる特徴は、自動二輪車１のために上記で与えられた詳細な記載から明らかである。
【００３３】
前述の説明に基づいて、上記された類いの自動二輪車１が先行技術に関して上述で示された目的をどのように達成するのかを理解することが可能である。実際、制動灯１５の特定の制御のおかげで、特に暗いまたは不十分な点灯状態で、自動二輪車１の後ろに続く車両は、車道上に自動二輪車が止まっていることをより容易に確認することができ、したがって自動二輪車をひくことを避けることができる。本解決策が、小さなありふれた変更で、二輪／三輪自動車に限らず、四輪の車両に適用できることはまた、前述の記載から明らかである。
【００３４】
本発明の原理は明らかであり、実施形態および詳細は、添付の特許請求の範囲で定められるような本発明の範囲から逸脱することなく、単に非限定的な例として本明細書に記載され、開示されたものに関して大きく変化され得る。
【図１】
0006989589.tif 000002
【図２】
0006989589.tif 000003
【図３】
0006989589.tif 000004